(57)【要約】【課題】本発明の課題は、同一の表示画面内で、ユーザに視覚的にコンテンツ量を把握させつつ、個別のコンテンツ内容も認識させることができるコンテンツ検索装置及びコンテンツ再生装置を提供することである。【解決手段】  表示部における第１の表示領域２０Ａに、コンテンツの検索情報を表示させ、表示部における第２の表示領域２０Ｂに、ハードディスクに記録されたコンテンツを当該コンテンツの属性毎にウインドウ表示させ、ウインドウ表示に、コンテンツが記録された日時に関する時間軸を設け、当該属性のコンテンツが記録された日時に関連付けられて所定数単位に割り当てられたセル２５を表示させ、第２の表示領域に表示されたセルの何れかがポインタにより選択操作されたことに伴い、選択されたセルに関連付けられたコンテンツの検索情報を取得し、第１の表示領域のコンテンツの検索情報の表示を、取得したコンテンツの検索情報に更新させる制御を行う。【選択図】図２
2010271973.tif 000002
【特許請求の範囲】
【請求項１】
コンテンツを特定するための特定情報とともに所定の記録媒体に記録されている複数のコンテンツから所望するコンテンツを検索する検索手段と、前記検索手段の検索結果に基づいて表示部に当該検索結果を表示させる表示制御手段と、を備えるコンテンツ検索装置であって、
ユーザからの指示の入力を受け付ける入力手段と、
前記入力手段の指示位置を示すポインタを前記表示部に表示するポインタ表示制御手段と、
を備え、
前記特定情報には、少なくとも、コンテンツのタイトル名、コンテンツの属性、コンテンツが記録された日時、が含まれ、
前記表示制御手段は、
前記表示部における第１の表示領域に、前記検索手段により検索されたコンテンツの特定情報の少なくとも一部である検索情報を表示させる第１の表示制御手段と、
前記表示部における第２の表示領域に、前記所定の記録媒体に記録されたコンテンツを当該コンテンツの属性毎にウインドウ表示する第２の表示制御手段と、
を備え、
前記第２の表示制御手段は、前記ウインドウ表示に、コンテンツが記録された日時に関する時間軸を設け、当該属性のコンテンツが記録された日時に関連付けられて所定数単位に割り当てられたセルを表示させ、
前記検索手段は、前記第２の表示領域に表示された前記セルの何れかが前記ポインタにより選択操作されたことに伴い、選択されたセルに関連付けられたコンテンツを検索して前記所定の記録媒体から検索情報を取得し、
前記第１表示制御手段は、
前記第１の表示領域に表示される前記コンテンツの検索情報の表示を、前記検索手段が取得したコンテンツの検索情報に更新させること
を特徴とするコンテンツ検索装置。
【請求項２】
前記検索手段は、前記セルの一つと前記ポインタとが重畳した際に、当該セルに関連付けられたコンテンツの特定情報の少なくとも一つであるポップアップ表示情報を前記所定の記録媒体から取得し、
前記第２の表示制御手段は、前記検索手段により取得されたポップアップ情報をポップアップ表示させることを特徴とする請求項１に記載のコンテンツ検索装置。
【請求項３】
一つのセルに割り当てられるコンテンツの最大数は、前記第１の表示領域に表示可能なコンテンツの最大数と等しいことを特徴とする請求項１又は２に記載のコンテンツ検索装置。
【請求項４】
前記第１の表示領域に表示された前記コンテンツの特定情報を前記第２の表示領域内の任意のウインドウに前記ポインタを用いて移動することにより、当該コンテンツの特定情報を当該ウインドウの属性に応じた特定情報に編集するよう前記所定の記録媒体に指示する編集指示手段を備えること
を特徴とする請求項１〜３の何れか一項に記載のコンテンツ検索装置。
【請求項５】
前記入力手段は、３次元加速度センサーを用いたリモートコントローラであり、
前記３次元加速度センサーの検出結果に基づいて、前記ポインタの移動方向及び移動量を算出することを特徴とする請求項１〜４の何れか一項に記載のコンテンツ検索装置。
【請求項６】
前記第１の表示領域に表示されるコンテンツの検索情報には、当該コンテンツのサムネイル画像が含まれること
を特徴とする請求項１〜５に記載のコンテンツ検索装置。
【請求項７】
コンテンツを特定するための特定情報とともに所定の記録媒体に記録されている複数のコンテンツから所望するコンテンツを検索する検索手段と、前記検索手段の検索結果に基づいて表示部に当該検索結果を表示させる表示制御手段と、を備えるコンテンツ検索装置であって、
ユーザからの指示の入力を受け付ける入力手段と、
前記入力手段の指示位置を示すポインタを前記表示部に表示するポインタ表示制御手段と、
前記所定の記録媒体に前記コンテンツの特定情報の編集を指示する編集指示手段と、
を備え、
前記特定情報には、少なくとも、コンテンツのタイトル名、コンテンツの属性、コンテンツが記録された日時、が含まれ、
前記表示制御手段は、
前記表示部における第１の表示領域に、前記検索手段により検索されたコンテンツの特定情報の少なくとも一部である検索情報を表示させる第１の表示制御手段と、
前記表示部における第２の表示領域に、前記所定の記録媒体に記録されたコンテンツを当該コンテンツの属性毎にウインドウ表示する第２の表示制御手段と、
を備え、
前記第２の表示制御手段は、前記ウインドウ表示に、コンテンツが記録された日時に関する時間軸を設け、当該属性のコンテンツが記録された日時に関連付けられて所定数単位に割り当てられたセルを表示させ、
前記検索手段は、前記セルの一つと前記ポインタとが重畳した際に、当該セルに関連付けられたコンテンツの特定情報の少なくとも一つであるポップアップ表示情報を前記所定の記録媒体から取得するとともに、前記第２の表示領域に表示された前記セルの何れかが前記ポインタにより選択操作されたことに伴い、選択されたセルに関連付けられたコンテンツを検索して前記所定の記録媒体から検索情報を取得し、
前記第１表示制御手段は、
前記第１の表示領域に表示される前記コンテンツの検索情報の表示を、前記検索手段が取得したコンテンツの検索情報に更新させ、
前記第２の表示制御手段は、前記検索手段により取得されたポップアップ情報をポップアップ表示させ、
前記セルは、
一つのセルに割り当てられるコンテンツの最大数は、前記第１の表示領域に表示可能なコンテンツの最大数と等しく、
前記編集指示手段は、
前記第１の表示領域に表示された前記コンテンツの特定情報を前記第２の表示領域内の任意のウインドウに前記ポインタを用いて移動することにより、当該コンテンツの特定情報を当該ウインドウの属性に応じた特定情報に編集するよう前記所定の記録媒体に指示し、
前記入力手段は、３次元加速度センサーを用いたリモートコントローラであり、
前記３次元加速度センサーの検出結果に基づいて、前記ポインタの移動方向及び移動量を算出し、
前記第１の表示領域に表示されるコンテンツの検索情報には、当該コンテンツのサムネイル画像が含まれることを特徴とするコンテンツ検索装置。
【請求項８】
請求項１〜７に記載のコンテンツ検索装置と、前記コンテンツ検索装置により特定された一のコンテンツの再生を行う再生手段と、を備えることを特徴とするコンテンツ再生装置。
【発明の詳細な説明】
【技術分野】
【０００１】
本発明は、コンテンツ検索装置及びコンテンツ再生装置に関する。
【背景技術】
【０００２】
近年、ハードディスク（ＨＤＤ）やディジタル多目的ディスク（ＤＶＤ）、ブルーレイディスク（ＢＤ）などの記録媒体に動画や楽曲などのコンテンツを大量に記録し、この記憶媒体からユーザが要望するコンテンツを取得して楽しむことができる。一方で記憶媒体の大容量化が進み、大量のコンテンツが保存されるようになると、ユーザが所望するコンテンツを記憶媒体から見つけ出すことが困難になる。
【０００３】
このような問題を解決するため、例えば、コンテンツファイルの属性データを別途記録し、この属性データを基にコンテンツファイルを仮想的なディレクトリに分類し、ツリー表示することが提案されている（例えば、特許文献１参照。）。
【０００４】
また、全ファイルを画面の表示域に全て表示できるように各アイコンのサイズを自動的にスケーリングすることが提案されている（例えば、特許文献２参照。）。
さらに、ファイルやフォルダのデータ量やコンテンツのジャンル等に応じ、表示色や表示パターンを変更することが提案されている（例えば、特許文献３、４参照。）。
【先行技術文献】
【特許文献】
【０００５】
【特許文献１】特開２００２−１１６９３３号公報
【特許文献２】特開２００５−２５５２６号公報
【特許文献３】特開２００７−３３４７００号公報
【特許文献４】特開２００８−１５８７３４号公報
【発明の概要】
【発明が解決しようとする課題】
【０００６】
しかしながら、特許文献１のように、属性データを基にしたツリー表示だけでは、属性毎にどのくらいの量のコンテンツを記憶しているかを把握することが難しい。
また、特許文献２のように、全ファイルを画面の表示域に全て表示できるように各アイコンのサイズを自動的にスケーリングした場合、全体量は把握できるものの、ファイルの数が増えると１ファイル当たりの情報量が減ってしまい、目的のファイルを検索することが難しくなってしまう。
さらに、特許文献３，４のように、ファイルやフォルダのデータ量やコンテンツのジャンル等に応じ、表示色や表示パターンを変更するだけでは、コンテンツの全体量を把握することが難しい。
【０００７】
従って、上記従来技術では、コンテンツを検索するときに、同一の表示画面内で、ユーザに視覚的にコンテンツ量を把握させつつ、個別のコンテンツ内容を認識させることができないという問題があった。
【０００８】
本発明の課題は、同一の表示画面内で、ユーザに視覚的にコンテンツ量を把握させつつ、個別のコンテンツ内容も認識させることができるコンテンツ検索装置及びコンテンツ再生装置を提供することである。
【課題を解決するための手段】
【０００９】
以上の課題を解決するため、請求項１に記載の発明は、
コンテンツを特定するための特定情報とともに所定の記録媒体に記録されている複数のコンテンツから所望するコンテンツを検索する検索手段と、前記検索手段の検索結果に基づいて表示部に当該検索結果を表示させる表示制御手段と、を備えるコンテンツ検索装置であって、
ユーザからの指示の入力を受け付ける入力手段と、
前記入力手段の指示位置を示すポインタを前記表示部に表示するポインタ表示制御手段と、
を備え、
前記特定情報には、少なくとも、コンテンツのタイトル名、コンテンツの属性、コンテンツが記録された日時、が含まれ、
前記表示制御手段は、
前記表示部における第１の表示領域に、前記検索手段により検索されたコンテンツの特定情報の少なくとも一部である検索情報を表示させる第１の表示制御手段と、
前記表示部における第２の表示領域に、前記所定の記録媒体に記録されたコンテンツを当該コンテンツの属性毎にウインドウ表示する第２の表示制御手段と、
を備え、
前記第２の表示制御手段は、前記ウインドウ表示に、コンテンツが記録された日時に関する時間軸を設け、当該属性のコンテンツが記録された日時に関連付けられて所定数単位に割り当てられたセルを表示させ、
前記検索手段は、前記第２の表示領域に表示された前記セルの何れかが前記ポインタにより選択操作されたことに伴い、選択されたセルに関連付けられたコンテンツを検索して前記所定の記録媒体から検索情報を取得し、
前記第１表示制御手段は、
前記第１の表示領域に表示される前記コンテンツの検索情報の表示を、前記検索手段が取得したコンテンツの検索情報に更新させること
を特徴とする。
【００１０】
請求項２に記載の発明は、請求項１に記載のコンテンツ検索装置において、
前記検索手段は、前記セルの一つと前記ポインタとが重畳した際に、当該セルに関連付けられたコンテンツの特定情報の少なくとも一つであるポップアップ表示情報を前記所定の記録媒体から取得し、
前記第２の表示制御手段は、前記検索手段により取得されたポップアップ情報をポップアップ表示させることを特徴とする。
【００１１】
請求項３に記載の発明は、請求項１又は２に記載のコンテンツ検索装置において、
一つのセルに割り当てられるコンテンツの最大数は、前記第１の表示領域に表示可能なコンテンツの最大数と等しいことを特徴とする。
【００１２】
請求項４に記載の発明は、請求項１〜３の何れか一項に記載のコンテンツ検索装置において、
前記第１の表示領域に表示された前記コンテンツの特定情報を前記第２の表示領域内の任意のウインドウに前記ポインタを用いて移動することにより、当該コンテンツの特定情報を当該ウインドウの属性に応じた特定情報に編集するよう前記所定の記録媒体に指示する編集指示手段を備えることを特徴とする。
【００１３】
請求項５に記載の発明は、請求項１〜４の何れか一項に記載のコンテンツ検索装置において、
前記入力手段は、３次元加速度センサーを用いたリモートコントローラであり、
前記３次元加速度センサーの検出結果に基づいて、前記ポインタの移動方向及び移動量を算出することを特徴とする。
【００１４】
請求項６に記載の発明は、請求項１〜５に記載のコンテンツ検索装置において、
前記第１の表示領域に表示されるコンテンツの検索情報には、当該コンテンツのサムネイル画像が含まれることを特徴とする。
【００１５】
請求項７に記載の発明は、
コンテンツを特定するための特定情報とともに所定の記録媒体に記録されている複数のコンテンツから所望するコンテンツを検索する検索手段と、前記検索手段の検索結果に基づいて表示部に当該検索結果を表示させる表示制御手段と、を備えるコンテンツ検索装置であって、
ユーザからの指示の入力を受け付ける入力手段と、
前記入力手段の指示位置を示すポインタを前記表示部に表示するポインタ表示制御手段と、
前記所定の記録媒体に前記コンテンツの特定情報の編集を指示する編集指示手段と、
を備え、
前記特定情報には、少なくとも、コンテンツのタイトル名、コンテンツの属性、コンテンツが記録された日時、が含まれ、
前記表示制御手段は、
前記表示部における第１の表示領域に、前記検索手段により検索されたコンテンツの特定情報の少なくとも一部である検索情報を表示させる第１の表示制御手段と、
前記表示部における第２の表示領域に、前記所定の記録媒体に記録されたコンテンツを当該コンテンツの属性毎にウインドウ表示する第２の表示制御手段と、
を備え、
前記第２の表示制御手段は、前記ウインドウ表示に、コンテンツが記録された日時に関する時間軸を設け、当該属性のコンテンツが記録された日時に関連付けられて所定数単位に割り当てられたセルを表示させ、
前記検索手段は、前記セルの一つと前記ポインタとが重畳した際に、当該セルに関連付けられたコンテンツの特定情報の少なくとも一つであるポップアップ表示情報を前記所定の記録媒体から取得するとともに、前記第２の表示領域に表示された前記セルの何れかが前記ポインタにより選択操作されたことに伴い、選択されたセルに関連付けられたコンテンツを検索して前記所定の記録媒体から検索情報を取得し、
前記第１表示制御手段は、
前記第１の表示領域に表示される前記コンテンツの検索情報の表示を、前記検索手段が取得したコンテンツの検索情報に更新させ、
前記第２の表示制御手段は、前記検索手段により取得されたポップアップ情報をポップアップ表示させ、
前記セルは、
一つのセルに割り当てられるコンテンツの最大数は、前記第１の表示領域に表示可能なコンテンツの最大数と等しく、
前記編集指示手段は、
前記第１の表示領域に表示された前記コンテンツの特定情報を前記第２の表示領域内の任意のウインドウに前記ポインタを用いて移動することにより、当該コンテンツの特定情報を当該ウインドウの属性に応じた特定情報に編集するよう前記所定の記録媒体に指示し、
前記入力手段は、３次元加速度センサーを用いたリモートコントローラであり、
前記３次元加速度センサーの検出結果に基づいて、前記ポインタの移動方向及び移動量を算出し、
前記第１の表示領域に表示されるコンテンツの検索情報には、当該コンテンツのサムネイル画像が含まれることを特徴とする。
【００１６】
請求項８に記載の発明は、
請求項１〜７に記載のコンテンツ検索装置と、前記コンテンツ検索装置により特定された一のコンテンツの再生を行う再生手段と、を備えたコンテンツ再生装置であることを特徴とする。
【発明の効果】
【００１７】
本発明によれば、第２の表示領域に、属性毎のウインドウ表示がなされ、ウインドウ表示に、コンテンツが記録された日時に関する時間軸が設けられ、当該属性のコンテンツが記録された日時に関連付けられて所定数単位に割り当てられたセルが表示されるので、ウインドウ毎にセルの数を見ることで、コンテンツの量を視覚的に把握することができる。その一方で、第１の表示領域に、前記検索手段により検索されたコンテンツの特定情報の少なくとも一部である検索情報を表示させることができるので、ユーザにより選択されたセルに含まれるコンテンツの内容を把握することができる。
よって、本発明は、同一の表示画面内で、ユーザに視覚的にコンテンツ量を把握させつつ、コンテンツ内容を認識させることができるコンテンツ検索装置及びコンテンツ再生装置であるといえる。
【図面の簡単な説明】
【００１８】
【図１】本発明の実施形態に係るコンテンツ再生装置１００の概略構成を示すブロック図である。
【図２】本発明に係るコンテンツ再生装置１００の検索画面の表示例である。
【図３】本発明に係るコンテンツ再生装置１００の検索画面のポップアップ表示例である。
【図４】本発明に係るコンテンツ再生装置１００の検索画面の更新例ある。
【図５】本発明に係るコンテンツ再生装置１００内で行われるコンテンツ検索処理の一例について示したフローチャートである。
【発明を実施するための形態】
【００１９】
以下、本発明の実施の形態を図面に基づいて説明する。なお、本実施形態では、本発明に係るコンテンツ検索装置および当該コンテンツ検索装置をコンテンツ再生装置に適用した場合について例示する。また、発明の範囲は、図示例に限定されない。
【００２０】
図１に示すように、コンテンツ再生装置１００は、リモコン１と、記憶装置２と、デコーダ３と、音声出力部４と、表示部５と、映像信号処理部６と、制御部１０等を備えて構成されている。
【００２１】
リモコン１は、内部に３次元加速度センサー１ａを備える。３次元加速度センサーとは、前後・左右・上下という３軸方向に対する加速度の変化を感知するセンサーである。
リモコン１は、３次元加速度センサー１ａを備えることにより、従来のボタンによるリモコン操作を代替させるものである。すなわち、リモコン１を前後左右に振ったり、回転させたりすること（ユーザによるモーション操作）で、３次元加速度センサー１ａから出力される出力結果により、操作方向（ポインタの移動方向）および操作量（ポインタの移動量）を算出し、表示部５に表示されたポインタ２１の位置を指示したり、コンテンツを選択したりすることができる。
また、リモコン１は、図示しないコンテンツ選択キーや十字キーなどを備えており、これらのキー操作によって従来のリモコンと同様に、ポインタ２１の位置を指示したり、コンテンツを選択したりすることができるようになっている。
つまり、リモコン１は入力手段として機能する。
【００２２】
記憶装置２は、例えば、ハードディスクであり、複数のコンテンツ（例えば、録画番組や画像および音声のコンテンツ等）を記録して蓄積している記録媒体である。
なお、記憶装置２には、複数のコンテンツにそれぞれ対応付けられている複数のサムネイル画像やコンテンツ取得日（例えば、録画日等）、コンテンツのタイトル名（名称）、コンテンツの属性（例えば、コンテンツのジャンル情報）などが記録されており、コンテンツはサムネイル画像やタイトル名、属性などに付加された識別子と対応付けられて記録されている。これらの情報は、コンテンツの特定情報として後述する検索プログラム１３Ａや表示制御プログラム１３Ｂによって利用される。
ここで、コンテンツのサムネイル画像がない場合、例えば、コンテンツが音楽情報である場合、そのサムネイル画像は、ＣＤジャケットやミュージシャン（アーティスト）の写真などでもよく、動画である場合は、任意の１シーンから抽出したものなどでよい。
また、コンテンツ取得日、コンテンツのタイトル名などはＥＰＧ（Electronic Program Guide）データやユーザ定義によるものを使用してもよい。
【００２３】
デコーダ３は、ユーザによるリモコン１の操作によりコンテンツの再生が指定された場合、記憶装置２に記憶されているコンテンツを読み出し、読み出したコンテンツをデコードしてデジタル映像情報を映像信号処理部６に出力するとともに、デジタル音声情報を音声出力部４に出力する。
例えば、デコーダ３は、記憶装置２に記憶されているコンテンツがＭＰＥＧ方式の映像音声データである場合、圧縮されたデジタル映像情報をデコードして映像信号処理部６に出力するとともに、デジタル音声情報を音声出力部４に出力する。
つまり、デコーダ３は再生手段として機能する。
【００２４】
音声出力部４は、例えば、スピーカなどを備え、コンテンツを再生している際、デコーダ３から入力された音声の出力を行う。
また、音声出力部４は、ユーザがコンテンツ検索操作を行っている際に、エラー音の出力、音声ガイド、各種の効果音などを出力するように構成されている。
【００２５】
表示部５は、例えば、液晶パネル又はＥＬパネルなどにより構成され、後述する映像信号処理部６から入力される表示信号に従って、各種操作画面や、所定のコンテンツに関する映像を表示する。
【００２６】
映像信号処理部６は、例えば、ＬＳＩ等により構成され、スケーリング処理、ＯＳＤ（On Screen Display）データの付加、画質調整処理等の各種処理を行ったのち、処理された映像信号を表示部５に出力する。
【００２７】
制御部１０は、ＣＰＵ（Central Processing Unit）１１と、ＲＡＭ（Random Access Memory）１２と、ＲＯＭ（Read Only Memory）１３などを備えている。
ＣＰＵ１１は、ＲＯＭ１３に格納されている検索プログラム１３Ａや表示制御プログラム１３Ｂ、編集指示プログラム１３Ｃ、再生制御プログラム１３ＤなどをＲＡＭ１２に読み出し、ＲＡＭ１２に展開して実行することにより、各種制御処理を行う。ＣＰＵ１１はシステムバス等を介して、リモコン１、記憶装置２、デコーダ３、音声出力部４、表示部５、映像信号処理部６、ＲＡＭ１２、ＲＯＭ１３などと接続され、コンテンツ再生装置１００を統括制御する。
【００２８】
ＲＡＭ１２は、揮発性メモリで構成され、ＣＰＵ１１によって各種プログラムが実行される際に生じる処理結果や、入力されたデータ等をワークエリアに記憶する。
【００２９】
ＲＯＭ１３は、例えば、ＥＰＲＯＭ（Erasable Programmable ROM）等の書込・消去可能な不揮発性メモリで構成され、各種プログラムやデータ等が予め記憶されている。ＲＯＭ１３には、例えば、記憶装置２に保存されている映像や音楽等のコンテンツを検索するための検索プログラム１３Ａ、表示部５に表示するグラフィカル・ユーザインターフェース（ＧＵＩ：Graphical User Interface）を生成する表示制御プログラム１３Ｂ、編集指示プログラム１３Ｃ、コンテンツの再生を行うためにデコーダ３を制御するための再生制御プログラム１３Ｄなどが格納されている。  
【００３０】
検索プログラム１３Ａは、記憶装置２に記憶されている全コンテンツの特定情報を検索し、ジャンル情報毎にまとめた検索結果一覧をＲＡＭ１２に保存する全検索処理と、後述するコンテンツの検索情報やポップアップ表示情報を検索し、検索結果をＲＡＭ１２に保存する部分検索処理を、ＣＰＵ１１に行わせる。
なお、検索プログラム１３Ａは、過去に行った検索以降、記憶装置２に記憶されているコンテンツの更新（削除、生成、特定情報の更新等）がなく、検索結果が以前と同一内容である場合には検索処理を実行せず、即座にＲＡＭ１２に保存されている以前の検索結果一覧を当該検索結果として使用する制御を、ＣＰＵ１１に行わせる。
つまり、検索プログラム１３Ａを実行するＣＰＵ１１は、検索手段として機能する。
【００３１】
表示制御プログラム１３Ｂは、表示部５に表示する画面生成を行い、これを映像信号として表示部５に出力する制御を、ＣＰＵ１１に行わせる。
また、表示制御プログラム１３Ｂは、表示部５に表示する検索画面を第１の表示領域２０Ａと第２の表示領域２０Ｂとに分割し、第１の表示領域２０Ａに表示する検索画面の生成を表示制御プログラム１３Ｂの第１の表示制御処理、および第２の表示領域２０Ｂに表示する画面の生成を表示制御プログラム１３Ｂの第２の表示制御処理を、ＣＰＵ１１に行わせる。
【００３２】
また、表示制御プログラム１３Ｂは、上記表示領域を表示部５に表示する検索画面を生成した後、その検索画面上にポインタ２１を配置し、リモコン１からの入力指示に応じて表示部５に表示された検索画面上をポインタ２１が移動可能に制御する処理を、ＣＰＵ１１に行わせる。
さらに、表示制御プログラム１３Ｂは、リモコン１による選択操作（例えば、クリックなど）により、後述するセルにマーカー２２を表示する制御処理を、ＣＰＵ１１に行わせる。
つまり、表示制御プログラム１３Ｂを実行するＣＰＵ１１は、表示制御手段（第１の表示制御手段、第２の表示制御手段）やポインタ表示制御手段として機能する。
【００３３】
編集指示プログラム１３Ｃは、第１の表示領域２０Ａに表示されたコンテンツの特定情報を第２の表示領域２０Ｂの任意のウインドウにポインタ２１を用いて移動（例えばドラッグ）されたことを判断し、当該コンテンツの特定情報を移動後のウインドウの属性に応じた特定情報に編集するよう記録媒体に指示する制御を、ＣＰＵ１１に行わせる。
つまり、表示制御プログラム１３Ｂを実行するＣＰＵ１１は、編集指示手段として機能する。
【００３４】
再生制御プログラム１３Ｄは、検索プログラム１３Ａが実行され、特定された一のコンテンツの再生処理を、ＣＰＵ１１に行わせる。具体的には、再生制御プログラム１３Ｄは、特定された一のコンテンツを、記憶装置２から取得してデコーダ３に出力させ、デコーダ３によりデコード処理させる制御を、ＣＰＵ１１に行わせる。
つまり、再生制御プログラム１３Ｄを実行するＣＰＵ１１は、デコーダ３とともに再生手段として機能する。
【００３５】
なお、図１において、本発明に係るコンテンツ検索装置はリモコン１、制御部１０からなる。記憶装置２、デコーダ３、音声出力部４、表示部５、映像信号処理部６はコンテンツ検索装置に外付け可能に構成してもよいし、コンテンツ検索装置と一体に構成してもよい。
【００３６】
（第１の表示制御処理について）
表示制御プログラム１３Ｂによる第１の表示制御処理では、ＣＰＵ１１は、コンテンツの検索情報を配置した画像を第１の表示領域２０Ａに生成する。
ここで、コンテンツの検索情報とは、第２の表示領域２０Ｂに表示された後述するセルに関連付けられているコンテンツの特定情報の一部のことであり、検索プログラム１３Ａによって取得され、ＲＡＭ１２に保存される。本実施例において、コンテンツの検索情報は、例えば、図２に示すように、セルに関連付けられているコンテンツのタイトル名２７ａ、サムネイル画像２７ｂ、コンテンツ取得日２７ｃである。
【００３７】
また、第１の表示制御処理では、ＣＰＵ１１は、第２の表示領域２０Ｂに表示されている後述するセルの何れかがポインタ２１により選択操作されたことに基づいて、検索プログラム１３Ａによって取得された当該セルに関連付けられたコンテンツの検索情報を、第１の表示領域２０Ａに配置した画像を生成する。
【００３８】
（第２の表示制御処理について）
表示制御プログラム１３Ｂによる第２の表示制御処理では、ＣＰＵ１１は、ＲＡＭ１２に保存された検索結果一覧に基づいて、コンテンツの属性毎にウインドウ２３ａ・・・を配置した画像を第２の表示領域２０Ｂに生成する。
ここで、ウインドウには、例えば、図２に示すように、コンテンツが記録された日時に関する時間軸が設けられ、当該属性のコンテンツが記録された日時に関連付けられて割り当てられたセル２５が表示される。
また、一つのセルに割り当てられる複数のコンテンツの最大数は、第１の表示領域に表示可能なコンテンツの最大数と等しくなるように設定される。
【００３９】
さらに、第２の表示制御処理では、ＣＰＵ１１は、第２の表示領域２０Ｂに表示されているセルの一つと前記ポインタとが重畳した瞬間を判断し、検索プログラム１３Ａを呼び出し、検索プログラム１３Ａによって取得された当該セルに関連付けられたポップアップ表示情報をＲＡＭ１２から取得して第２の表示領域２０Ｂにポップアップ３１を表示させる。
ここで、ポップアップ表示情報とは、当該セルに関連付けられているコンテンツの特定情報の一部のことであり、本実施例においては、例えば、図３に示すように、ポップアップ表示情報はコンテンツのタイトル名、取得日である。
【００４０】
（検索画面表示例）
次に、本発明に係るコンテンツ再生装置１００における表示部５の検索画面表示例を図２〜４に示すとともに操作例を説明する。
【００４１】
まず、ユーザが再生可能なコンテンツ一覧を表示させるためのリモコン操作をリモコン１により行うと、ＣＰＵ１１は、表示部５に図２に示すような検索画面を表示する。
図２に示す検索画面は、第１の表示領域２０Ａと第２の表示領域２０Ｂとに上下に分割されている。第１の表示領域２０Ａには、コンテンツのタイトル名２７ａ、サムネイル画像２７ｂ、コンテンツ取得日（例えば録画日）２７ｃなどのコンテンツの特定情報が並べて表示されている。
また、第２の表示領域２０Ｂには、コンテンツのジャンル情報（例えば図２では、スポーツ、ドラマ、アニメ、バラエティ）毎にウインドウ２３ａ、２３ｂ、２３ｃ、２３ｄが重ねられて表示されている。
【００４２】
（第２の表示領域について）
第２の表示領域２０Ｂにおいて、複数のウインドウが上端のタイトルバー２６ｂ、２６ｃ、２６ｄを除いて重ねられたように表示されており、最前面に表示され且つ選択された状態（以後、この状態をアクティブと称す）のウインドウが、リモコン１による操作対象となる。
具体的には、例えば、図２においては、スポーツウインドウ２３ａがアクティブとなっている。他のウインドウをアクティブにするには、ユーザはポインタ２１をリモコン１により操作し、所望するウインドウのタイトルバーの位置を、選択操作すればよい。
【００４３】
第２の表示領域２０Ｂの各ウインドウでは、横軸を『コンテンツ取得年月日（例えば録画年月日）』、縦軸を『タイトル名（例えば、番組名）のア行、カ行、サ行・・・順』として、複数のセルが表示される。
各セルには、視聴可能なコンテンツが割当てられる。
例えば、図２において、後述するマーカー２２の付けられたセル２５には、当該セルの示す期間内に３つのコンテンツが取得され、１つのセル２５に当該３つのコンテンツが割り当てられている。
なお、１セルに関連付けられるコンテンツの最大数は、第１の表示領域２０Ａに表示可能なコンテンツの最大数（例えば、１０個）と等しくなるよう設定される。従って、例えば、図２、３に示すように、「ジャンル情報２８がスポーツでカ行の」コンテンツのように、該当するコンテンツが多ければ多いほど、セルの大きさはより小さくなって、一つのセルの録画期間の範囲も狭くなる。
【００４４】
このように視聴可能なコンテンツの量と時間軸とを関連付け、コンテンツ全体を表示することにより、ユーザは視覚的にコンテンツの量と取得日（録画日）が把握できるようになるため、検索の操作性が向上する。
【００４５】
（マーカー表示）
また、ユーザはポインタ２１をリモコン１により操作し、第２の表示領域２０Ｂのアクティブなウインドウの選択領域２４内の任意のセルを選択操作（例えば、クリック）することにより、当該セルをアクティブにすることができる。表示制御プログラム１３Ｂを実行したＣＰＵ１１は、アクティブとなったセルに、所定の色のマーカー表示を行う（マーカー２２）。
【００４６】
さらに、第２の表示領域２０Ｂのアクティブなウインドウにおいて、非アクティブな任意のセルをアクティブにするには、ユーザはポインタ２１をリモコン１により操作し、当該セルを選択操作することにより、現在アクティブなセルと当該選択されたセルのアクティブ／非アクティブを切り替えることができる。
【００４７】
また、セルにポインタ２１を重畳させた状態で、所定の時間が経過すると、ＣＰＵ１１は、表示制御プログラム１３Ｂを実行することにより、例えば、図３に示すように、当該セルに関連付けられたコンテンツの特定情報をポップアップ表示（ホップアップ３１）する。
【００４８】
また、ＣＰＵ１１は、セルが選択操作されると、検索プログラム１３Ａを実行して、当該セルと関連付けられたコンテンツの検索情報を記憶装置２から取得し、その後、表示制御プログラム１３Ｂを実行して、例えば、図４に示すように、当該検索情報を第１の表示領域２０Ａに表示し、検索画面を更新する。
【００４９】
（タイトルバー）
ＣＰＵ１１は、表示制御プログラム１３Ｂを実行することにより、非アクティブのウインドウ（スポーツ以外のウインドウ）において、各タイトルバー２６ｂ、２６ｃ、２６ｄに当該ジャンルのコンテンツの量を示す色の濃淡を表示する。
例えば、図２のドラマタイトルバー２６ｂのように、タイトルバーの長手方向の色の濃淡は、セルの時間軸と関連付けられて表示され、色が濃いほど、当該期間内に記憶されたコンテンツ量が多いことを示している。よって、ユーザは各ジャンルの表示期間内の時系列的なコンテンツ量を視覚的に把握することが出来る。
【００５０】
なお、タイトルバーの長手方向の色の濃淡をセルの時間軸と関連付けて表示したが、色の濃淡に限らず、図形で表現してもよい。
また、タイトルバーの長手方向をセルの時間軸と関連付けず、各ジャンルのコンテンツの総数とタイトルバーの濃淡を直接関連付けて、タイトルバーの色をコンテンツの総数に応じた一色で示すようにしてもよい。
【００５１】
（第１の表示領域について）
ＣＰＵ１１は、表示制御プログラム１３Ｂを実行することにより、第２の表示領域２０Ｂにおいて、アクティブなウインドウのマーカー表示のあるセルと関連付けられたコンテンツのタイトル名、サムネイル画像、コンテンツ取得日とを第１の表示領域２０Ａに表示する。
例えば、図２に示すように、第２の表示領域２０Ｂのスポーツウインドウ２３ａ内のセル２５がマーカー表示（マーカー２２）されると、ＣＰＵ１１は、表示制御プログラム１３Ｂを実行することにより、第１の表示領域２０Ａにセル２５と関連付けられたコンテンツのタイトル名２７ａ、サムネイル画像２７ｂ、コンテンツ取得日２７ｃなどを表示する。
【００５２】
ＣＰＵ１１は、第１の表示領域２０Ａに表示されている任意の１つのコンテンツ（サムネイル画像）がユーザにより決定操作（例えばダブルクリックなど）されることにより、再生プログラム１３Ｄを実行して、当該コンテンツの再生を開始する。
【００５３】
また、第１の表示領域２０Ａの任意の１つのサムネイル画像がポインタ２１により選択され、当該サムネイル画像が第２の表示領域２０Ｂの任意のウインドウ上にドラッグされることにより、ＣＰＵ１１は編集指示プログラム１３Ｃを実行することにより、当該サムネイル画像に関連付けられたコンテンツのジャンル情報を当該ウインドウに関連付けられたジャンル情報に変更する。
この際、ＣＰＵ１１は、編集指示プログラム１３Ｃを実行することにより、記憶装置２に記憶されている当該コンテンツの特定情報を変更するとともに、表示制御プログラム１３Ｂを実行することにより、第１の表示領域２０Ａと第２の表示領域２０Ｂの画面表示（バーの色の濃淡、セルのサイズなど）も更新表示する。 
【００５４】
（リモコン操作について）
リモコン１にはユーザのモーション操作により操作指示を行うモーションモードと、従来のリモコンと同様にボタン操作のみにより操作指示を行うクラシックモードが設定できるよう構成されている。以下、モーションモードにおける操作例を示す。
【００５５】
モーションモードにおいては、ユーザはクラシックモードで使用するボタンを併用して操作することができる。
【００５６】
ＣＰＵ１１は、ユーザの持つリモコン１がＸ軸方向に移動されたことを判断し、ポインタ２１を横軸方向に、リモコン１がＹ軸方向に移動されたことを判断し、ポインタ２１を縦軸方向に移動させる画面表示を行う。また、リモコン１がＺ軸方向に移動されたことを判断し、第２の表示領域２０Ｂのアクティブなウインドウを変更する。
さらに、リモコン１を回転させることにより、ＣＰＵ１１は、第１の表示領域２０Ａと第２の表示領域２０Ｂとの表示位置を入れ替える画面表示を行うようにしてもよい。
【００５７】
また、ユーザが画面上のコンテンツ（セル２５やサムネイル画像２７ｂなど）を選択操作する際には選択ボタンを、決定操作する際には決定ボタンを使用する。
また、ドラッグする際には選択ボタンとモーション操作を併用する。
具体的には、ユーザは選択ボタンを押下した状態で、リモコン１をＸ軸方向、Ｙ軸方向に移動することにより、従来のマウスと同様にドラッグの操作をすることができる。
なお、リモコン１によるモーション操作やボタン操作はこの例に限定されず、ユーザによる独自の操作をコンテンツ再生装置１００に登録させるような構成にしてもよい。すなわち、ユーザがボタン操作を一切使わず、全ての操作をモーション操作によって選択・決定操作ができるようにコンテンツ再生装置１００を構成してもよい。
また、選択ボタンをダブルクリックすることにより、決定ボタンと同等の操作指示が行えるように構成してもよい。
【００５８】
次に本発明に係るコンテンツ再生装置１００において、ユーザが所望するコンテンツを検索し、コンテンツが再生されるまでの処理を、図５に示すフローチャートに基づき説明する。
【００５９】
まず、再生可能コンテンツ一覧を表示させるためのリモコン操作をユーザが行うと、ＣＰＵ１１は検索プログラム１３Ａ、表示制御プログラム１３Ｂを順次ＲＡＭ１２に読み出し、展開して実行し（ステップＳ１）、図２に示す第２の表示領域２０Ｂのようにコンテンツの属性毎にウインドウ２３ａ・・・、セル２５などを表示部５に表示する（ステップＳ２）。この段階では、第２の表示領域２０Ｂに表示されたウインドウ２３ａ・・・、やセル２５には、ユーザによる選択操作がまだ行われていないため、第１の表示領域２０Ａには何も表示されない。
【００６０】
次に、ユーザのリモコン操作により、第２の表示領域２０Ｂに表示されている各種のウインドウ２３ａ・・・から、ユーザが所望するジャンルのウインドウが選択操作されると、当該ウインドウがアクティブとなる（ステップＳ３）。
【００６１】
次いで、ＣＰＵ１１は、当該ウインドウ内のセルにポインタ２１が重畳されている状態かどうかを判断し、当該セルにポインタ２１が重畳されていると判断すると（ステップＳ４；ＹＥＳ）、ステップＳ５に移行するが、そうでないと判断すると（ステップＳ４；ＮＯ）、ステップＳ７に移行する。
【００６２】
ステップＳ５では、ＣＰＵ１１は、検索プログラム１３Ａを実行し、当該セルに関連付けられたコンテンツのポップアップ表示情報を検索し、ＲＡＭ１２に記憶する。
【００６３】
次に、ＣＰＵ１１は、表示制御プログラム１３Ｂを実行し、ＲＡＭ１２からポップアップ表示情報を読み出し、ポップアップ表示する画面データを生成し、第２の表示領域２０Ｂに、例えば、図３のようなポップアップ３１を表示する（ステップＳ６）。
【００６４】
なお、ＣＰＵ１１がステップＳ５、６を行っている最中、ユーザのリモコン操作により、当該セルからポインタ２１が離れた場合は、ステップＳ５、６の処理は中断される。
【００６５】
次に、ＣＰＵ１１は、ユーザのリモコン操作により、セルが選択操作されたと判断すると（ステップＳ７；ＹＥＳ）、検索プログラム１３Ａを実行し、当該セルに関連付けられたコンテンツの検索情報（コンテンツのタイトル名、サムネイル画像、コンテンツ取得日など）を検索し、ＲＡＭ１２に記憶する。
次いで、ＣＰＵ１１は、表示制御プログラム１３Ｂを実行して、例えば、図４に示すように、当該該セルにマーカー２２を付ける（ステップＳ８）とともに、ＲＡＭ１２に記憶されている検索情報に基づき、第１の表示領域２０Ａに表示する画像を更新して（ステップＳ９）、本処理を終了する。
一方、ＣＰＵ１１は、ユーザのリモコン操作により、当該セルが選択操作されたと判断されないと（ステップＳ７；ＮＯ）、再び、ステップＳ３に戻る。
【００６６】
このように、セルにポインタ２１が重畳される度にポップアップ３１が表示されるので、選択操作の度に高負荷な第１の表示領域２０Ａの画面生成をＣＰＵ１１が行う必要がなくなり、また、ユーザは当該セルに関連付けられたコンテンツの検索情報をポップアップ３１から知ることができる。
【００６７】
その後、ユーザは第１の表示領域２０Ａに表示された所望のコンテンツを決定操作することにより、ＣＰＵ１１は再生制御プログラム１３Ｄを実行し、デコーダ３に当該コンテンツのデコード処理を行わせることにより、当該コンテンツの再生が実行される。
【００６８】
以上のように、本発明によれば、表示制御プログラム１３Ｂを実行したＣＰＵ１１により、第２の表示領域２０Ｂに、属性毎のウインドウ表示がなされ、ウインドウ表示に、コンテンツが記録された日時に関する時間軸が設けられ、当該属性のコンテンツが記録された日時に関連付けられて割り当てられたセルが表示されるので、ウインドウ毎にセルの数を見ることで、コンテンツの量を視覚的に把握することができる。その一方で、第１の表示領域２０Ａに、検索プログラム１３Ａを実行したＣＰＵ１１により検索されたコンテンツの特定情報の少なくとも一部である検索情報を表示させることができるので、ユーザにより選択されたセルに含まれるコンテンツの内容を把握することができる。
よって、本発明は、同一の表示画面内で、ユーザに視覚的にコンテンツ量を把握させつつ、コンテンツ内容を認識させることができるコンテンツ検索装置及びコンテンツ再生装置であるといえる。
【００６９】
また、所望のセルにポインタ２１を重ねると、ＣＰＵ１１により表示制御プログラム１３Ｂが実行されて第２の表示領域２０Ｂにポップアップ３１が表示されるので、ユーザは、当該ポップアップにより、当該セルに対応付けられたコンテンツを把握できるので、いちいちセルを選択操作して第１の表示領域２０Ａを更新表示させる必要がないため、使い勝手がよい。
また、第１の表示領域２０Ａの任意の１つのサムネイル画像がポインタ２１により選択され、当該サムネイル画像が第２の表示領域２０Ｂの任意のウインドウ上にドラッグされることにより、ＣＰＵ１１は編集指示プログラム１３Ｃを実行することにより、当該サムネイル画像に関連付けられたコンテンツのジャンル情報を当該ウインドウに関連付けられたジャンル情報に変更するので、編集作業を容易に行うことができる。
【００７０】
なお、以上の実施の形態において、ジャンル別のウインドウ内のセル２５を、縦軸方向にタイトル名、横軸方向をコンテンツ取得年月日、奥行き方向をジャンルとなるように構成したが、これに限らず、軸の属性は変えることができる。
【００７１】
また、第１の表示領域２０Ａに表示する情報として、サムネイル画像を示したが、サムネイル表示された動画、アイコンなどの他の形式でもよい。
【００７２】
また、ポップアップ３１の表示は第２の表示領域２０Ｂのみに表示されるように構成したが、第１の表示領域２０Ａに表示されているサムネイル画像とポインタ２１とが重畳された際、当該サムネイル画像周辺にもポップアップ情報が表示されるよう構成してもよい。
【００７３】
また、図５のステップＳ２において、第２の表示領域２０Ｂに表示された全ウインドウが非アクティブのときには、リモコンの操作ガイドやイラストなどを第１の表示領域２０Ａに表示するようコンテンツ再生装置１００を構成してもよい。また、任意のセルにデフォルトでマーカー２２が付けられている構成とし、第２の表示領域２０Ｂにウインドウ２３ａ・・・、セル２５、マーカー２２などを表示するとともに、第１の表示領域２０Ａに当該マーカーが付けられているセルに関連付けられたコンテンツが表示されるようにしてもよい。
また、セルに関連付けられるコンテンツの数は最大数以下であれば、いくつ割り当てても良い。
【００７４】
また、コンテンツ再生装置１００は、音声出力部４、表示部５を含む構成としたが、これらは外付けされた構成であってもよい。
また、その他、具体的な細部構造などについても適宜に変更可能であることは勿論である。
【符号の説明】
【００７５】
１００  コンテンツ再生装置
１  リモコン（入力手段）
１ａ  ３次元加速度センサー
２  記憶装置（記憶媒体）
３  デコーダ（再生手段）
５  表示部
１０  制御部
１１  ＣＰＵ（検索手段、表示制御手段、ポインタ表示制御手段、編集指示手段、再生手段）
１３Ａ  検索プログラム（検索手段）
１３Ｂ  表示制御プログラム（表示制御手段、ポインタ表示制御手段）
１３Ｃ  編集指示プログラム（編集指示手段）
１３Ｄ  再生制御プログラム（再生手段）
２００  検索画面１
２０Ａ  第１の表示領域
２０Ｂ  第２の表示領域
２１  ポインタ
２２  マーカー
２５  セル
２７ａ  コンテンツのタイトル名（特定情報）
２７ｂ  コンテンツのサムネイル画像（特定情報）
２７ｃ  コンテンツ取得日（特定情報）
２８  ジャンル情報（特定情報）
３００  検索画面２
３１  ポップアップ
４００  検索画面３
【図１】
2010271973.tif 000003
【図２】
2010271973.tif 000004
【図３】
2010271973.tif 000005
【図４】
2010271973.tif 000006
【図５】
2010271973.tif 000007